(57)【要約】【課題】本発明の目的は、ディスクドライブを冷却するとともに、筐体内の通気性の向上にも寄与することができる電子機器を得ることにある。【解決手段】電子機器１は、筐体４と、ディスクドライブ１１と、ファン１２とを具備する。ディスクドライブ１１は、筐体４に収容される。ディスクドライブ１１は、筐体４内に開口する第１の孔２８と、筐体４の外部に露出するベゼル３３に形成され、筐体４の外部に開口する第２の孔３９とを有する。ファン１２は、ディスクドライブ１１の内部に設けられる。【選択図】      図３
2007004894.tif 000002
【特許請求の範囲】
【請求項１】
筐体と、
上記筐体に収容されるディスクドライブであって、上記筐体内に開口する第１の孔と、上記筐体の外部に露出するベゼルに形成され、上記筐体の外部に開口する第２の孔とを有するディスクドライブと、
上記ディスクドライブの内部に設けられるファンと、
を具備することを特徴とする電子機器。
【請求項２】
請求項１の記載において、
上記ファンは、上記第１の孔を通じて上記筐体内の空気を上記ディスクドライブ内に吸気するとともに、上記第２の孔を通じて上記ディスクドライブ内の空気を上記筐体の外部に排気することを特徴とする電子機器。
【請求項３】
請求項１の記載において、
上記第２の孔は、上記ベゼルの長手方向に沿う一端に設けられ、
上記ファンは、上記第２の孔に対し上記ベゼルの長手方向に沿う他端の方に偏った位置あり、かつ、上記ディスクドライブ内において上記ベゼルとは反対の方に偏った位置に設けられることを特徴とする電子機器。
【請求項４】
請求項１の記載において、
上記ディスクドライブは、引き出し可能なディスクトレイと、上記ディスクトレイの中心から外れた位置に設けられるヘッド部とを有し、
上記第２の孔は、上記ヘッド部に対応するように上記ベゼルの長手方向に沿う一端に設けられ、
上記ファンは、上記ディスクドライブ内において上記ヘッド部を間に挟んで上記第２の孔と対向する位置に設けられることを特徴とする電子機器。
【請求項５】
筐体と、
上記筐体に収容されるディスクドライブであって、ドライブケースと、上記ドライブケース内に引き出し可能に収容され、上記筐体の外部に露出するベゼルを有するディスクトレイと、上記ドライブケースに形成され、上記筐体内に開口するとともに、上記ベゼルの長手方向に沿う端部に位置する第１の孔と、上記ベゼルに形成され、上記筐体の外部に開口するとともに、上記第１の孔に対し上記ベゼルの長手方向に沿う反対の端部に位置する第２の孔とを有するディスクドライブと、
上記第１の孔に対応するように上記ドライブケースに取付けられるファンと、
を具備することを特徴とする電子機器。
【請求項６】
筐体と、上記筐体に収容されるディスクドライブおよびファンとを具備し、
上記ディスクドライブは、
ドライブケースと、
上記ドライブケース内に引き出し可能に収容され、上記筐体の外部に露出するベゼルを有するディスクトレイと、
上記ディスクトレイの中心から外れた位置に設けられるヘッド部と、
上記ドライブケースに形成され、上記筐体内に開口するとともに、上記ヘッド部に対応するように上記ベゼルの長手方向に沿う端部に位置する第１の孔と、
上記ベゼルに形成され、上記筐体の外部に開口するとともに、上記ヘッド部を間に挟んで上記第１の孔と対向する位置に設けられる第２の孔とを有し、
上記ファンは、上記第１の孔に対応するように上記ドライブケースに取付けられる
ことを特徴とする電子機器。
【発明の詳細な説明】
【技術分野】
【０００１】
本発明は、筐体の内部にディスクドライブを収容した電子機器に係り、特にディスクドライブの冷却構造に関する。
【背景技術】
【０００２】
ポータブルコンピュータのような電子機器は、筐体の内部に例えばＣＤ（Compact Disk）ドライブあるいはＤＶＤ(Digital Versatile Disc)ドライブのようなディスクドライブを収容している。従来のディスクドライブは、ドライブケースと、このドライブケースに引き出し可能に収容されたディスクトレイとを備えている。このディスクドライブが発する熱は、ドライブケースから自然に放出されるようになっている。
【０００３】
近年、この種のディスクドライブは、より高速で情報処理が可能になるとともに、その発熱量が増加する傾向にある。そこで、冷却部材を備えたディスクドライブが提案されている（例えば、特許文献１参照）。特許文献１に記載のディスクドライブは、シャーシケースと、このシャーシケースに収容されるディスクトレイとを有する。ディスクトレイには、モータファンユニットが配設され、ディスクトレイに実装した電気系部品などが強制的に冷却される。
【０００４】
さらに、その他の例として、吸気ファンを有する光ディスク装置が知られている（例えば、特許文献２参照）。この光ディスク装置は、前面パネルに開口した冷却風孔を有する。吸気ファンにより光ディスク装置の内部に吸込まれた冷却風は、冷却風孔から光ディスク装置の外に排出される。
【特許文献１】特開２００４−２５３０８５号公報
【特許文献２】特開平６−２３６６７６号公報
【発明の開示】
【発明が解決しようとする課題】
【０００５】
ポータブルコンピュータは、上記したディスクドライブ以外にも、例えばＣＰＵ（Central Processing Unit）やハードディスクドライブのような発熱量の大きな電子部材を備えている。そこで、例えばＣＰＵクーラーのような冷却部材がポータブルコンピュータには取付けられ、筐体内に設けられた電子部材の冷却が図られている。
【０００６】
ところが、近年、ＣＰＵやハードディスクドライブのような電子部材の発熱量はさらに増加し、筐体内の温度も高まる傾向にある。筐体内の温度が高まれば、上記したＣＰＵクーラーのような冷却部材も効果的に機能しなくなる。したがって、ポータブルコンピュータは、筐体内の温度を下げるために、筐体内の通気性をより一層高めることが望まれている。  
本発明の目的は、ディスクドライブを冷却するとともに、筐体内の通気性の向上にも寄与することができる電子機器を得ることにある。
【課題を解決するための手段】
【０００７】
上記目的を達成するため、本発明の一つの形態に係る電子機器は、
筐体と、
上記筐体に収容されるディスクドライブであって、上記筐体内に開口する第１の孔と、上記筐体の外部に露出するベゼルに形成され、上記筐体の外部に開口する第２の孔とを有するディスクドライブと、
上記ディスクドライブの内部に設けられるファンと、
を具備する。
【発明の効果】
【０００８】
この構成によれば、上記ファンにより筐体内の空気をディスクドライブ内に吸込んで筐体の外に排出することができる。このため、ディスクドライブを冷却しつつ、筐体内の通気性を高めることができる。
【発明を実施するための最良の形態】
【０００９】
以下に本発明の実施の形態を、ポータブルコンピュータに適用した図面にもとづいて説明する。  
図１ないし図４は、本発明の第１の実施形態に係る電子機器としてのポータブルコンピュータ１を開示している。図１に示すように、ポータブルコンピュータ１は、本体２と表示ユニット３とを備えている。
【００１０】
本体２は、箱状の筐体４を備えている。筐体４は、上壁４ａ、底壁４ｂ、前壁４ｃ、右側壁４ｄ、およびに図示しない後壁と左側壁とを有している。筐体４の上壁４ａは、キーボード５を支持している。
【００１１】
表示ユニット３は、ディスプレイハウジング６と、このディスプレイハウジング６に収容される液晶表示パネル７とを備えている。液晶表示パネル７は、表示画面７ａを有している。表示画面７ａは、ディスプレイハウジング６の前面の開口部６ａを通じてディスプレイハウジング６の外部に露出している。
【００１２】
表示ユニット３は、筐体４の後端部に図示しないヒンジ装置を介して支持されている。そのため、表示ユニット３は、本体２の上壁４ａを上方から覆うように倒される閉じ位置と、上壁４ａ、キーボード５、および表示画面７ａを露出させるように起立する開き位置との間で回動可能である。
【００１３】
本体２は、さらに、ディスクドライブとしてのＣＤ−Ｒ／ＲＷドライブ１１（以下ＣＤドライブ１１）とファン１２とを備えている。図１に示すように、ＣＤドライブ１１は、筐体４内の右側部位に収納されている。図２および図３に示すように、ＣＤドライブ１１は、ドライブケース１４、一対のガイドレール１５ａ，１５ｂ、およびディスクトレイ１６を備えている。
【００１４】
ドライブケース１４は、ハウジングベース１７と、ハウジングカバー１８とを備えている。ハウジングカバー１８は、ハウジングベース１７を上方から覆うようにハウジングベース１７に取付けられている。このため、ドライブケース１４は、上面２１、下面２２、後面２３、右側面２４、および左側面２５を有する箱状に形成されている。ドライブケース１４の前面には、挿入口１４ａが開口している。
【００１５】
ドライブケース１４は、詳細には、第１の右側面２４ａ、第２の右側面２４ｂ、および第３の右側面２４ｃを有する。図３に示すように、第１の右側面２４ａは、ドライブケース１４の前面の方に設けられ、左側面２５に対して、ＣＤドライブ１１に挿入されるＣＤ２６の幅と略同じ距離だけ離れている。第３の右側面２４ｃは、ドライブケース１４の後面２３の方に設けられ、左側面２５に対してＣＤ２６の幅の約３／４の距離だけ離れている。第２の右側面２４ｂは、第１の右側面２４ａと第３の右側面２４ｃとの間に設けられ、ドライブケース１４の長手方向に対して斜め方向に延びている。これにより、ドライブケース１４は、左右の側面間の幅が異なる３つの部位を有する。
【００１６】
図２に示すように、ドライブケース１４の上面２１の右後端部には、第１の孔としての吸気孔２８が設けられている。図４に示すように、吸気孔２８は、ＣＤドライブ１１が筐体４内に取付けられた状態では、筐体４内に開口している。
【００１７】
図３に示すように、一対のガイドレール１５ａ，１５ｂは、それぞれドライブケース１４の第３の右側面２４ｃまたは左側面２５に沿って取付けられている。ガイドレール１５ａ，１５ｂの間には、ディスクトレイ１６が取付けられている。
【００１８】
ディスクトレイ１６は、ガイドレール１５ａ，１５ｂに支持され、ドライブケース１４内に引き出し可能に収容されている。ディスクトレイ１６は、トレイ本体３１、ヘッド部３２、およびベゼル３３を備えている。
【００１９】
トレイ本体３１は、ＣＤ２６を収容する円形のトレイ部３５と、トレイ部３５の周囲から起立する段差部３６と、段差部３６に形成された凹みからなる空気流路３７とを備えている。空気流路３７は、第１の流路部３７ａと第２の流路部３７ｂとを有する。図３に示すように、第１の流路部３７ａは、詳しくは後述するファン１２の排気口１２ａに対応する部位からトレイ部３５にわたって設けられている。第２の流路部３７ｂは、トレイ部３５から後述するベゼル３３の排気孔３９にわたって設けられている。
【００２０】
トレイ本体３１は、さらに、トレイ部３５の中央に設けられたターンテーブル４１と、ターンテーブル４１の上に設けられたディスク係止部４２とを有する。ＣＤドライブ１１に挿入されたＣＤ２６は、ディスク係止部４２に係止され、ターンテーブル４１により回転駆動される。トレイ本体３１は、トレイ部３５の左前側部に、縦長の開口部３１ａを有する。開口部３１ａは、トレイ部３５の半径方向に沿って延びている。
【００２１】
図３に示すように、ヘッド部３２は、ディスクトレイ１６の中心から外れた位置、例えばディスクトレイ１６の左前側部に設けられている。ヘッド部３２は、トレイ本体３１に下方から取付けられ、トレイ本体３１の開口部３１ａを通じて、ディスクトレイ１６の上面に露出している。ヘッド部３２は、ディスクトレイ１６の上面に露出する部分にピックアップセンサ部４３を有する。ピックアップセンサ部４３は、開口部３１ａに沿ってトレイ部３５の半径方向に移動可能である。
【００２２】
ベゼル３３は、トレイ本体３１の前端部に取付けられ、ディスクトレイ１６がドライブケース１４に収納されたとき、ドライブケース１４の挿入口１４ａを閉じる蓋となる。ベゼル３３は、ＣＤドライブ１１が筐体４内に取付けられたとき、筐体４の外部に露出している。
【００２３】
ベゼル３３は、第２の孔としての例えば２つの排気孔３９を有する。図３に示すように、排気孔３９は、ベゼル３３の長手方向に沿う一端である左端部に設けられている。排気孔３９は、ＣＤドライブ１１が筐体４内に取付けられたとき、筐体４の外部に開口している。
【００２４】
図３に示すように、ファン１２は、ＣＤドライブ１１の内部に設けられている。ファン１２は、ＣＤドライブ１１の右後端部、すなわち排気孔３９に対しベゼル３３の長手方向に沿う他端の方に偏った位置であり、かつ、ＣＤドライブ１１内においてベゼル３３とは反対の方に偏った位置に取付けられている。換言すれば、排気孔３９およびファン１２は、矩形状のＣＤドライブ１１内において、それぞれ互いに対角となるコーナー部に配置されている。
【００２５】
図４に示すように、ファン１２は、ドライブケース１４のハウジングカバー１８の内面であって、吸気孔２８と対応する位置に取付けられている。ファン１２は、ファンケース４５と、ファンケース４５の中で回転する羽根車４６とを備えている。ファンケース４５は、吸気口１２ｂと排気口１２ａとを有する。排気口１２ａは、ＣＤドライブ１１の前方を向いて、ドライブケース１４内に開口する。ファン１２は、吸気孔２８を通じて筐体４内の空気をファンケース４５内に吸込み、その空気をドライブケース１４内に排出する。
【００２６】
次に、ポータブルコンピュータ１の作用について説明する。  
ファン１２を駆動すると、筐体４内の空気は、吸気孔２８から吸気口１２ｂを通じてファンケース４５内に吸込まれる。この吸込まれた空気は、ファンケース４５の排気口１２ａを通じて、ドライブケース１４内に吐出される。ドライブケース１４内に空気が吐出されると、ドライブケース１４内には正圧が生じる。この正圧により、ＣＤドライブ１１内の空気は、排気孔３９を通じて筐体４の外部に排気される。
【００２７】
具体的には、図３に示すように、ファンケース４５の排気口１２ａを出た空気は、第１の流路部３７ａを通り、トレイ部３５に流入し、その後、第２の流路部３７ｂを通り、排気孔３９に導かれる。この過程で、空気は、ＣＤドライブ１１から発生する熱の一部を奪い、熱を筐体４の外部に持ち去る。
【００２８】
このような構成のポータブルコンピュータ１によれば、ＣＤドライブ１１内の温度の高い空気が筐体４の外部に排気される。これによりＣＤドライブ１１を冷却することができる。特に、矩形型のＣＤドライブ１１内において、ファン１２および排気孔３９をそれぞれ対角となるコーナー部に配置することで、ＣＤドライブ１１内の空気の循環を良くし、ＣＤドライブ１１の冷却をさらに図ることができる。
【００２９】
ファン１２により、筐体４内の空気は、ＣＤドライブ１１内に吸気される。これにより筐体４内には負圧が生じ、筐体４の外部から新しい空気が筐体４内に流入する。すなわち、筐体４内の通気性を高めることができる。
【００３０】
次に、本発明の第２の実施形態に係る電子機器としてのポータブルコンピュータ１ａを、図５を参照して説明する。なお第１の実施形態に係るポータブルコンピュータ１と同じ機能を有する構成は、同一の符号を付してその説明を省略する。
【００３１】
ポータブルコンピュータ１ａの本体２は、ディスクドライブとしてのＣＤドライブ１１と、ファン５１とを備えている。ＣＤドライブ１１は、ディスクトレイ５２を備えている。ディスクトレイ５２は、ドライブケース１４の後面２３の近傍まで延びる後端部５２ａを有し、ドライブケース１４と略同じ奥行きを有する。
【００３２】
ファン５１は、ＣＤドライブ１１の内部に設けられている。ファン５１は、ＣＤドライブ１１の右後端部、すなわち排気孔３９に対しベゼル３３の長手方向に沿う他端の方に偏った位置であり、かつ、ＣＤドライブ１１内においてベゼル３３とは反対の方に偏った位置に取付けられている。図５に示すように、ファン５１は、吸気孔２８と対応するように、ディスクトレイ５２の後端部５２ａの上面に取付けられている。ファン５１は、吸気孔２８を通じて筐体４内の空気をファンケース４５内に吸込み、その空気をドライブケース１４内に排出する。
【００３３】
次に、ポータブルコンピュータ１ａの作用について説明する。  
ファン５１を駆動すると、筐体４内の空気は、吸気孔２８を通じてＣＤドライブ１１内に吸気される。一方、ＣＤドライブ１１内の空気は、排気孔３９を通じて筐体４の外部に排気される。この過程で、空気は、ＣＤドライブ１１から発生する熱の一部を奪い、熱を筐体４の外部に持ち去る。
【００３４】
このような構成のポータブルコンピュータ１ａによれば、ＣＤドライブ１１内の温度の高い空気が外部に排出され、ＣＤドライブ１１を冷却することができる。矩形型をしたＣＤドライブ１１内において、ファン５１と排気孔３９とをそれぞれ対角となるコーナー部に配置することで、第１の実施形態と同様に、さらにＣＤドライブ１１の冷却性能が高まる。ファン５１により、筐体４内には負圧が生じ、筐体４の外部から新しい空気が筐体４内に流入する。すなわち、筐体４内の通気性が向上する。
【００３５】
次に、本発明の第３の実施形態に係る電子機器としてのポータブルコンピュータ１ｂを、図６を参照して説明する。なお第１の実施形態に係るポータブルコンピュータ１と同じ機能を有する構成は、同一の符号を付してその説明を省略する。
【００３６】
ポータブルコンピュータ１ｂの本体２は、ディスクドライブとしてのＣＤドライブ１１と、ファン６１とを備えている。ＣＤドライブ１１は、ディスクトレイ６２を備えている。ＣＤドライブ１１の上面２１の中心よりやや左寄りの部位には、第１の孔としての吸気孔２８が設けられている。
【００３７】
図６に示すように、ベゼル３３は、第２の孔としての例えば２つの排気孔６３を有する。排気孔６３は、ヘッド部３２に対応するように、ベゼル３３の長手方向に沿う一端である左端部に設けられている。すなわち、排気孔６３は、ベゼル３３において、ヘッド部３２と最短距離で向かい合う部位に設けられている。さらに具体的には、排気孔６３は、ヘッド部３３のピックアップセンサ部４３に対応するように設けられている。排気孔６３は、ＣＤドライブ１１が筐体４内に取付けられたとき、筐体４の外部に開口している。
【００３８】
ファン６１は、ＣＤドライブ１１の内部に設けられている。ファン６１は、ＣＤドライブ１１の中心からやや左の部位、すなわちＣＤドライブ１１内において、ヘッド部３２を間に挟んで排気孔６３と対向する位置に取付けられている。換言すれば、ファン６１、ヘッド部３２、および排気孔６３は、一つの直線上に位置する。
【００３９】
ファン６１は、ドライブケース１４のハウジングカバー１８の内面であって、吸気孔２８と対応する位置に取付けられている。ファン６１は、吸気口１２ｂと排気口１２ａとを有するファンケース４５を備えている。ファン６１は、吸気孔２８を通じて筐体４内の空気をファンケース４５内に吸込み、その空気をドライブケース１４内に排出する。
【００４０】
次に、ポータブルコンピュータ１ｂの作用について説明する。  
ファン６１を駆動すると、筐体４内の空気は、吸気孔２８を通じてＣＤドライブ１１内に吸気される。一方、ＣＤドライブ１１内の空気は、排気孔６３を通じて筐体４の外部に排気される。この過程で、空気は、ＣＤドライブ１１から発生する熱の一部を奪い、熱を筐体４の外部に持ち去る。
【００４１】
このような構成のポータブルコンピュータ１ｂによれば、ＣＤドライブ１１内の温度の高い空気が外部に排出され、ＣＤドライブ１１を冷却することができる。ここで、ＣＤドライブ１１内において、最も発熱する部材は、ヘッド部３２のピックアップセンサ部４３である。
【００４２】
本実施形態では、ファン６１、ヘッド部３２、および排気孔６３が、一つの直線上に位置している。したがって、ファン６１によりドライブケース１４内に吸気された空気は、ヘッド部３２の周囲を通過して、排気孔６３から筐体４の外部に排気される。すなわち、ヘッド部３２周りの空気を集中的に換気することで、ＣＤドライブ１１の冷却をさらに図ることができる。さらに、ファン６１により、筐体４内には負圧が生じ、筐体４の外部から新しい空気が筐体４内に流入する。すなわち、筐体４内の通気性が向上する。
【００４３】
次に、本発明の第４の実施形態に係る電子機器としてのポータブルコンピュータ１ｃを、図７を参照して説明する。なお第１の実施形態に係るポータブルコンピュータ１と同じ機能を有する構成は、同一の符号を付してその説明を省略する。
【００４４】
ポータブルコンピュータ１ｃの本体２は、ディスクドライブとしてのＣＤドライブ１１とファン７１とを備えている。ＣＤドライブ１１は、ドライブケース７２と、ディスクトレイ７３とを備えている。ドライブケース７２は、ディスクトレイ７３と略同じ奥行きを有する。ドライブケース７２の上面２１の左後端部には、第１の孔としての吸気孔２８が設けられている。
【００４５】
ベゼル３３は、第２の孔としての例えば２つの排気孔７５を有する。図７に示すように、排気孔７５は、ベゼル３３の右端部に設けられている。排気孔７５は、ＣＤドライブ１１が筐体４内に取付けられたとき、筐体４の外部に開口している。
【００４６】
ファン７１は、ＣＤドライブ１１の内部に設けられている。ファン７１は、ディスクトレイ７３の左後端のコーナー部、すなわち排気孔７５に対しベゼル３３の長手方向に沿う他端の方に偏った位置であり、かつ、ＣＤドライブ１１内においてベゼル３３とは反対の方に偏った位置に取付けられている。ファン７１は、ディスクトレイ７３の段差部３６と一体に形成されたファンケース４５を有する。ファンケース４５は、吸気口１２ｂと排気口１２ａとを有する。ファン７１は、吸気孔２８を通じて筐体４内の空気をファンケース４５内に吸込み、その空気をドライブケース７２内に排出する。
【００４７】
次に、ポータブルコンピュータ１ｃの作用について説明する。  
ファン７１を駆動すると、筐体４内の空気は、吸気孔２８を通じてＣＤドライブ１１内に吸気される。一方、ＣＤドライブ１１内の空気は、排気孔７５を通じて筐体４の外部に排気される。この過程で、空気は、ＣＤドライブ１１から発生する熱の一部を奪い、熱を筐体４の外部に持ち去る。
【００４８】
このような構成のポータブルコンピュータ１ｃによれば、ＣＤドライブ１１内の温度の高い空気が外部に排出され、ＣＤドライブ１１を冷却することができる。矩形型をしたＣＤドライブ１１内において、ファン７１と排気孔７５とをそれぞれ対角となるコーナー部に配置することで、第１の実施形態と同様に、さらにＣＤドライブ１１の冷却性能が高まる。ファン７１により、筐体４内には負圧が生じ、筐体４の外部から新しい空気が筐体４内に流入する。すなわち、筐体４内の通気性を高めることができる。  
ファン７１をディスクトレイ７３の左後端のコーナー部に配置することで、ドライブケース７２の奥行き幅を小さくすることができる。
【００４９】
次に、本発明の第５の実施形態に係る電子機器としてのポータブルコンピュータ１ｄを、図８を参照して説明する。なお第１の実施形態に係るポータブルコンピュータ１と同じ機能を有する構成は、同一の符号を付してその説明を省略する。
【００５０】
ポータブルコンピュータ１ｄの本体２は、ディスクドライブとしてのＣＤドライブ１１とファン８１とを備えている。ＣＤドライブ１１は、ドライブケース８２とディスクトレイ８３とを備えている。ドライブケース８２は、ディスクトレイ８３と略同じ奥行きを有する。ドライブケース８２の右側面２４は、左側面２５に対して、ＣＤ２６の幅と略同じ距離だけ離れている。すなわち、ドライブケース８２は、左右の側面間の距離が一定である。ドライブケース８２の上面２１には、第１の孔としての吸気孔２８が設けられている。
【００５１】
ファン８１は、ＣＤドライブ１１の内部に設けられている。ファン８１は、ＣＤドライブ１１の右後端部のコーナー部、すなわち排気孔３９に対しベゼル３３の長手方向に沿う他端の方に偏った位置であり、かつ、ＣＤドライブ１１内においてベゼル３３とは反対の方に偏った位置に取付けられている。
【００５２】
ファン８１は、ドライブケース８２のハウジングカバー１８の内面に取付けられている。ファンケース４５は、吸気口１２ｂと排気口１２ａとを有する。排気口１２ａは、ＣＤドライブ１１の中心を向いて、ドライブケース１４内に開口する。ファン８１は、吸気孔２８を通じて筐体４内の空気をファンケース４５内に吸込み、その空気をドライブケース１４内に排出する。
【００５３】
次に、ポータブルコンピュータ１ｄの作用について説明する。  
ファン８１を駆動すると、筐体４内の空気は、吸気孔２８を通じてＣＤドライブ１１内に吸気される。一方、ＣＤドライブ１１内の空気は、排気孔３９を通じて筐体４の外部に排出される。この過程で、空気は、ＣＤドライブ１１から発生する熱の一部を奪い、熱を筐体４の外部に持ち去る。
【００５４】
このような構成のポータブルコンピュータ１ｄによれば、ＣＤドライブ１１内の温度の高い空気が外部に排出され、ＣＤドライブ１１を冷却することができる。ファン８１により、筐体４内には負圧が生じ、筐体４の外部から新しい空気が筐体４内に流入する。すなわち、筐体４内の通気性を高めることができる。
【００５５】
ファン８１は、ドライブケース８２内の右後端のコーナー部に配置される。このコーナー部は、ＣＤドライブ１１に挿入されたＣＤ２６およびディスクトレイ８３に干渉されない部位である。したがって、第１ないし第４の実施形態に係るファン１２，５１，６１，７１に比べて、厚さのあるファン８１を搭載することが可能である。例えば、ＣＤドライブ１１の厚さと略同じ厚さを有するファン８１を設けることも可能である。
【００５６】
次に、本発明の第６の実施形態に係る電子機器としてのポータブルコンピュータ１ｅを、図９を参照して説明する。なお第１の実施形態に係るポータブルコンピュータ１と同じ機能を有する構成は、同一の符号を付してその説明を省略する。
【００５７】
ポータブルコンピュータ１ｅの本体２は、ディスクドライブとしてのＣＤドライブ１１とファン９１とを備えている。ＣＤドライブ１１は、ドライブケース９２、およびディスクトレイ９３を備えている。ドライブケース９２は、第２の右側面２４ｂに、ドライブケース９２の外部に開口した第１の孔としての吸気孔２８を有する。すなわち、ＣＤドライブ１１が筐体４内に取付けられたとき、吸気孔２８は筐体４内に開口する。排気孔３９は、ベゼル３３の右端部、すなわち吸気孔２８に対しベゼル３３の長手方向に沿う反対の端部に位置する。
【００５８】
ファン９１は、ＣＤドライブ１１の外部に設けられている。ファン９１は、ＣＤドライブ１１の第２の右側面２４ｂに外側から取付けられ、吸気孔２８に対応するように配置されている。ファン９１は、吸気孔１２ｂと排気口１２ａとを有する。排気口１２ａは、ＣＤドライブ１１の吸気孔２８と連通している。ファン９１は、筐体４内の空気をファンケース４５内に吸込み、その空気を吸気孔２８を通じてドライブケース９２内に排出する。
【００５９】
次に、ポータブルコンピュータ１ｅの作用について説明する。  
ファン９１を駆動すると、筐体４内の空気は、吸気孔２８を通じてＣＤドライブ１１内に吸気される。一方、ＣＤドライブ１１内の空気は、排気孔３９を通じて筐体４の外部に排出される。この過程で、空気は、ＣＤドライブ１１から発生する熱の一部を奪い、熱を筐体４の外部に持ち去る。
【００６０】
このような構成のポータブルコンピュータ１ｅによれば、ＣＤドライブ１１内の温度の高い空気が外部に排出され、ＣＤドライブ１１を冷却することができる。ファン９１により、筐体４内には負圧が生じ、筐体４の外部から新しい空気が筐体４内に流入する。すなわち、筐体４内の通気性が向上する。  
ファン９１をＣＤドライブ１１の外部に設けることで、ある程度大きなファン９１を採用することができる。
【００６１】
なお、ドライブケース９２の後面２３に、ヘッド部３２に対応するように吸気孔２８を形成するとともに、ドライブケース９２の吸気孔２８に対応する位置にファン９１を設け、ベゼル３３に、ヘッド部３２に対応するように排気孔３９を形成しても良い。すなわち、吸気孔２８、ヘッド部３２、および排気孔３９を一つの直線上に配置することで、第３の実施形態と同様に、ＣＤドライブ１１の冷却に効果的に寄与することができる。
【００６２】
以上、第１ないし第６の実施形態のポータブルコンピュータ１，１ａ，１ｂ，１ｃ，１ｄ，１ｅについて説明したが、本発明はもちろんこれらに限定されるものではない。例えば第１ないし第４の実施形態に係る吸気孔２８は、ファン１２，５１，６１，７１の吸気口１２ｂに対応した位置に形成される必要はなく、例えば図２中に２点鎖線で示す吸気孔２８ａの位置に設けても良い。さらに言えば、吸気孔２８は、ドライブケース１４，７２の上面２１、下面２２、または周面２３，２４，２５においてどこに設けても良く、その位置は問わない。例えば上面２１と下面２２にそれぞれ吸気孔２８を設けるなど、２つ以上の吸気孔２８を設けても良い。
【００６３】
ベゼル３３に設けられる排気孔３９の数も限定されるものではなく、例えば１つでも良く、３つ以上の複数個でもあっても良い。またその形状は問わない。  
ディスクトレイ１６，５２，６２，７３，８３，９３に設けられている空気流路３７は、ＣＤドライブ１１内の空気の流動性を高めるためのものであり、無くても本発明の効果を得ることができる。
【００６４】
本発明は、ＣＤドライブ１１を有するポータブルコンピュータ１，１ａ，１ｂ，１ｃ，１ｄ，１ｅに限られず、例えばＤＶＤ−Ｒ／ＲＷのような光ディスクドライブを有するコンピュータにも同様に適用可能である。
【図面の簡単な説明】
【００６５】
【図１】本発明の第１の実施形態に係るポータブルコンピュータの斜視図。
【図２】図１中に示されたディスクドライブの斜視図。
【図３】本発明の第１の実施形態に係るポータブルコンピュータの断面図。
【図４】図３中に示されたポータブルコンピュータのＡ−Ａ線に沿う断面図。
【図５】本発明の第２の実施形態に係るポータブルコンピュータの断面図。
【図６】本発明の第３の実施形態に係るポータブルコンピュータの断面図。
【図７】本発明の第４の実施形態に係るポータブルコンピュータの断面図。
【図８】本発明の第５の実施形態に係るポータブルコンピュータの断面図。
【図９】本発明の第６の実施形態に係るポータブルコンピュータの断面図。
【符号の説明】
【００６６】
１…ポータブルコンピュータ、２…本体、３…表示ユニット、４…筐体、１１…ＣＤドライブ、１２…ファン、１２ａ…排気口、１４…ドライブケース、１６…ディスクトレイ、１７…ハウジングベース、２６…ＣＤ、２８…吸気孔、３１…トレイ本体、３２…ヘッド部、３３…ベゼル、３９…排気孔、４３…ピックアップセンサ部、４６…羽根車、５１…ファン、６１…ファン、７１…ファン、８１…ファン、９１…ファン。
【図１】
2007004894.tif 000003
【図２】
2007004894.tif 000004
【図３】
2007004894.tif 000005
【図４】
2007004894.tif 000006
【図５】
2007004894.tif 000007
【図６】
2007004894.tif 000008
【図７】
2007004894.tif 000009
【図８】
2007004894.tif 000010
【図９】
2007004894.tif 000011